【手続補正書】
【提出日】平成27年6月17日(2015.6.17)
【手続補正１】
【補正対象書類名】特許請求の範囲
【補正対象項目名】全文
【補正方法】変更
【補正の内容】
【特許請求の範囲】
【請求項１】
小便器（１）の排出口（２）に装着することのできるインサート（３）であって、
該インサート（３）は、液体（５）を、排出口（２）に当該インサート（３）が装着された小便器（１）の朝顔面（６）に放出するための少なくとも１つの吐出開口部（４）を有するインサートにおいて、
前記液体（５）は、前記吐出開口部（４）から前記小便器（１）の前記朝顔面（６）に噴射またはスプレーされる、ことを特徴とするインサート（３）。
【請求項２】
前記インサート（３）は臭気閉鎖部を有し、または前記インサート（３）は臭気閉鎖部の一部である、ことを特徴とする請求項１に記載のインサート（３）。
【請求項３】
前記吐出開口部（４）はノズルとして構成されており、または前記吐出開口部（４）はリングノズルとして構成されている、ことを特徴とする請求項１または２に記載のインサート（３）。
【請求項４】
前記吐出開口部（４）の大きさまたは形状は調整可能であり、または前記吐出開口部（４）の角度位置が調整可能である、ことを特徴とする請求項１から３までのいずれか一項に記載のインサート（３）。
【請求項５】
前記前記吐出開口部（４）は、液体（５）または少なくとも液体（５）の成分のための備蓄容器（７）に接続エレメントを介して接続可能である、ことを特徴とする請求項１から４までのいずれか一項に記載のインサート（３）。
【請求項６】
前記インサート（３）はフード（１９）を有し、前記フード（１９）は、洗浄石(１８)のための収容空間を少なくとも部分的に取り囲む、請求項１から５のいずれか一項に記載のインサート（３）。
【請求項７】
前記吐出開口部（４）は前記フード（１９）の先端に配置されている、請求項６に記載のインサート（３）。
【請求項８】
前記フード（１９）のセグメントは、移動可能および／または回転可能に配置されている、ことを特徴とする請求項６または７に記載のインサート（３）。
【請求項９】
前記吐出開口部（４）は、該吐出開口部（４）から流出する液体（５）が小便器（１）の朝顔面（６）全体を十分に濡らすように構成され、配置されている、ことを特徴とする請求項１から８までのいずれか一項に記載のインサート（３）。
【請求項１０】
インサート（３）と組み合わされた排出口（２）を有する小便器（１）であって、前記インサートは前記排出口（２）に装着されている小便器において、
前記インサート（３）は、液体（５）を、前記小便器（１）の朝顔面（６）に放出するための少なくとも１つの吐出開口部（４）を有し、
前記インサートは、液体（５）のための備蓄容器（７）に直接または間接的に接続されており、前記液体は、前記吐出開口部（４）を通して噴射またはスプレーすることができる、ことを特徴とする小便器（１）。
【請求項１１】
前記吐出開口部（４）は、該吐出開口部（４）から流出する液体（５）が小便器（１）の朝顔面（６）全体を十分に濡らすように構成され、配置されている、ことを特徴とする請求項１０に記載の小便器（１）。
【請求項１２】
液体（５）または液体（５）の成分に対する少なくとも１つの備蓄容器（７）が交換可能に小便器（１）に装着されている、ことを特徴とする請求項１０または１１に記載の小便器（１）。
【請求項１３】
前記備蓄容器（７）は使い捨て容器として構成されている、請求項１０から１２のいずれか一項に記載の小便器（１）。
【請求項１４】
前記備蓄容器（７）は閉鎖ダイヤフラムを有し、該閉鎖ダイヤフラムは、前記備蓄容器（７）の装填の際に少なくとも吸引管により突き通されるように構成されている、請求項１０から１３のいずれか一項に記載の小便器（１）
【請求項１５】
バヨネット固定部またはクリップ固定部が、前記備蓄容器（７）を接続位置に一時的に固定するために設けられている、請求項１０から１４までのいずれか一項に記載の小便器（１）
【請求項１６】
前記備蓄容器（７）は、使い捨て容器として構成されており、かつ接続位置に一時的に固定するために固定エレメントを有し、該固定エレメントは、前記備蓄容器（７）の取り外しの際に自動的に機械的に破壊されるように構成されている、ことを特徴とする請求項１０から１５までのいずれか一項に記載の小便器（１）。
【請求項１７】
充填状態指示器（１４）が設けられており、該充填状態指示器は、前記備蓄容器（７）内の洗浄液または殺菌液の充填状態に関する情報を指示する、請求項１０から１６までのいずれか一項に記載の小便器（１）。
【請求項１８】
前記充填状態指示器（１４）は、少なくとも１つの光導体（１６）を有する、請求項１７に記載の小便器（１）。
【請求項１９】
水のための給水接続部が設けられている、請求項１０から１８までのいずれか一項に記載の小便器（１）。
【請求項２０】
混合装置（１２）が設けられており、該混合装置は、液体（５）を生成するために少なくとも２つの成分を混合し、１つの成分は殺菌成分または洗浄成分であり、別の成分は水である、請求項１０から１９までのいずれか一項に記載の小便器（１）。
【請求項２１】
少なくとも１つのポンプ（８）が、液体（５）または液体（５）の成分を搬送または計量投与するために設けられている、ことを特徴とする請求項１０から２０までのいずれか一項に記載の小便器（１）。
【請求項２２】
電子回路が設けられており、該電子回路は、液体（５）の成分の混合を制御し、または朝顔面（６）に放出すべき液体（５）の放出量を制御する、ことを特徴とする請求項１０から２１までのいずれか一項に記載の小便器（１）。
【請求項２３】
時間またはインターバル制御部が液体（５）の施与のために設けられている、請求項１０から２２までのいずれか一項に記載の小便器（１）。
【請求項２４】
センサを備える検出装置が設けられており、該検出装置は、小便器（１）の使用回数を検出し、制御部がそれぞれ所定のまたは設定可能な使用回数の後、朝顔面（６）への液体（５）の放出をトリガする、ことを特徴とする請求項１０から２３までのいずれか一項に記載の小便器（１）。
【請求項２５】
小便器（１）は本体を有し、該本体は、少なくとも１つの備蓄容器（７）のため、または制御電子回路のため、または少なくとも１つのポンプ（８）のための、中空空間を有し、本体は朝顔（６）も有する、ことを特徴とする請求項１０から２４までのいずれか一項に記載の小便器（１）。
【請求項２６】
前記液体は、洗浄液または殺菌液である、請求項１から９のいずれか一項に記載のインサート（３）。
【手続補正２】
【補正対象書類名】明細書
【補正対象項目名】００４８
【補正方法】変更
【補正の内容】
【００４８】
図１は、排出口２を備える小便器１を示し、この排出口にインサート３が嵌め込まれている。インサート３はノズルとして構成された吐出開口部４を有し、この吐出開口部を通して液体５を小便器１の朝顔面６に施与する、すなわちスプレーすることができる。インサート３は、これを通して尿を排出することのできる流入部として構成されている。さらにインサート３は付加的に臭気閉鎖部として構成されており、小便器１を乾燥小便器として稼働できるように、朝顔２２にもたらされた尿が、臭気閉鎖部を通して完全に排出される。
【手続補正３】
【補正対象書類名】明細書
【補正対象項目名】００５２
【補正方法】変更
【補正の内容】
【００５２】
図２は、流入部および臭気閉鎖部として構成された本発明の一インサート３を示す。気密に閉鎖するためにインサートはホースバルブ２３を有する。さらにインサート３と小便器朝顔との間にはパッキンが設けられている。